(57)【要約】【課題】従来ダイヤコアドリルと称される定置式のせん孔装置は、いわゆるブラシモータを備えていた。例えばモータの耐久性をより高めるため、ブラシモータに代えてブラシレスモータを備えるためには、ブラシレスモータの制御に適したスイッチ等を組み付ける必要がある。本発明は、ブラシレスモータを備えた電動工具に適したスイッチの低コスト化を図りつつ、当該スイッチの操作性をも確保できるようにすることを目的とする。【解決手段】電動工具１は、ブラシレスモータと、スイッチ本体３１とオンボタン３３とオン保持部材３５を備えている。スイッチ本体３１は、オン操作でオン状態になり、オン操作が解除されるとオフ状態になる。オンボタン３３を操作した時に、スイッチ本体３１はオン操作される。オン保持部材３５は、オンボタン３３を操作した時にオンボタン３３と自動的に係合し、オンボタン３３を操作した位置に保持する。【選択図】図２１
2020093337.tif 000002
【特許請求の範囲】
【請求項１】
ブラシレスモータを備えた電動工具であって、
オン操作でオン状態になり、オン操作が解除されるとオフ状態になるスイッチ本体と、該スイッチ本体をオン操作するために操作するオン操作部を備え、
前記オン操作部を操作した時に該オン操作部と自動的に係合し、該オン操作部を操作した位置に保持するオン保持部材を備えた電動工具。
【請求項２】
請求項１に記載の電動工具であって、
前記オン保持部材は、前記オン操作部の操作方向と交差する方向に移動して該オン操作部と係合する電動工具。
【請求項３】
請求項２に記載の電動工具であって、
前記オン保持部材を前記オン操作部と係合する方向に付勢するばねを備えた電動工具。
【請求項４】
請求項１〜３のいずれか１項に記載の電動工具であって、
前記オン操作部とは別にオフ操作部を備え、
該オフ操作部を操作することで、前記オン操作部と前記オン保持部材の係合を解除する電動工具。
【請求項５】
請求項４に記載の電動工具であって、
前記オン操作部と前記オフ操作部は、押し操作されるボタンであり、
前記オフ操作部の押し操作方向は、前記オン操作部の押し操作方向と同じである電動工具。
【請求項６】
請求項５に記載の電動工具であって、
前記オフ操作部は、前記オン保持部材が前記オン操作部と係合する方向と交差する方向に延びる傾斜面を備え、
前記オフ操作部を押し操作することで、前記傾斜面が前記オン保持部材を押して、前記オン操作部と前記オン保持部材の係合を解除する電動工具。
【請求項７】
請求項１〜６のいずれか１項に記載の電動工具であって、
前記オン操作部の周囲の少なくとも一部にリブを備えた電動工具。
【請求項８】
請求項１〜７のいずれか１項に記載の電動工具であって、
前記スイッチ本体と前記オン操作部と前記オン保持部材をアッセンブリ化した電動工具。
【請求項９】
請求項４〜６のいずれか１項に記載の電動工具であって、
前記スイッチ本体と前記オン操作部と前記オフ操作部と前記オン保持部材をアッセンブリ化した電動工具。
【請求項１０】
請求項１〜９のいずれか１項に記載の電動工具であって、
ＤＣ電源から電源供給されるダイヤコアドリルである電動工具。
【発明の詳細な説明】
【技術分野】
【０００１】
本発明は、ブラシレスモータを備えた電動工具に関する。
【背景技術】
【０００２】
材料の孔開け作業等に用いるせん孔装置の中には、ダイヤコアドリルと称されるものが提供されている。ダイヤコアドリルは、有底円筒形の回転体の先端部にダイヤモンド粒子を付着させて切削部としたダイヤモンドコアビットと称されるせん孔用の回転刃具を出力軸に取り付けて、コンクリート等のせん孔作業に用いる。この種のせん孔装置は、回転刃具の径が大きく、硬い材料をせん孔する用途で用いられるため、一つの孔を開けるのに高い出力と長い作業時間を要する。この種のせん孔装置として定置式のものが提供されている。定置式のせん孔装置によれば、せん孔装置のベースを壁や床等の作業面に固定させることから、材料から受ける大きな反力を受けつつ、長い作業時間の中で安定した作業を行うことができる。特許文献１には、ダイヤモンドコアビットを備えた可搬式せん孔装置を定置式スタンドに取り付ける構成について記載されている。しかしながら、高い出力で安定したせん孔作業をするためには、せん孔装置そのものが定置式であることがより望ましい。
【先行技術文献】
【特許文献】
【０００３】
【特許文献１】独国特許発明第１００６４１７３号明細書
【特許文献２】特開２０１７−１４８８８１号公報
【発明の概要】
【発明が解決しようとする課題】
【０００４】
従来この種の定置式のせん孔装置は、いわゆるブラシモータを備えていた。例えばモータの耐久性をより高めるため、ブラシモータに代えていわゆるブラシレスモータを備えた定置式のせん孔装置が望まれている。ブラシモータに代えてブラシレスモータを備えるためには、ブラシレスモータの制御に適したスイッチ等を組み付ける必要がある。
【０００５】
特許文献２に記載されるブラシレスモータを備えた電動工具は、オンオフ状態を切り替えるスイッチとして例えばプランジャスイッチを備えている。この種のスイッチは、プランジャを押し操作することでオン状態になり、プランジャの押し操作を止めると、プランジャが押し操作をする前の状態に戻ってオフ状態になる。また、この種のスイッチは、オンオフ切替えに際して制御用の信号を発信している。ブラシレスモータを備える定置式のせん孔装置にブラシレスモータの制御に適したこの種のスイッチを組み付けることで、新たにスイッチを設計する生産設備等のコストを抑えることができる。しかしながら、プランジャスイッチは、オン状態を保持するためにプランジャを押し操作し続ける必要がある。そのため、そのままのプランジャスイッチでは、オン状態での作業時間が長い定置式のせん孔装置のスイッチとしては操作性が低下する問題がある。
【０００６】
本発明は、ブラシレスモータを備えた電動工具に適したスイッチの低コスト化を図りつつ、当該スイッチの操作性をも確保できるようにすることを目的とする。
【課題を解決するための手段】
【０００７】
本開示の一つの特徴によると電動工具は、ブラシレスモータと、スイッチ本体とオンボタンを備えている。スイッチ本体は、オン操作でオン状態になり、オン操作が解除されるとオフ状態になる。電動工具は、スイッチ本体をオン操作するために操作するオン操作部を備えている。電動工具は、オン保持部材を備えている。オン保持部材は、オン操作部を操作した時にオン操作部と自動的に係合し、オン操作部を操作した位置に保持する。
【０００８】
従って、例えばブラシレスモータを備えた電動工具に適したプランジャスイッチのように、オン操作でオン状態になり、オン操作が解除されるとオフ状態になるスイッチ本体を、オン操作を解除してもオン状態で保持することができる。例えば定置式のせん孔装置に組み付けるスイッチ本体をオン状態で保持できることにより、オン操作を続けなくても長時間オン状態のままでせん孔装置を使用することができる。かくして、ブラシレスモータを備えた電動工具に適したスイッチ本体を流用して低コスト化を図りつつ、高い操作性が確保される。
【０００９】
本開示の他の特徴によるとオン保持部材は、オン操作部の操作方向と交差する方向に移動してオン操作部と係合する。
【００１０】
従って、オン操作部とオン保持部材との係合により、特にオン操作部の操作方向に沿った方向へのオン操作部の移動を規制できる。これにより、オン保持部材によるオン操作部の保持性能が高まる。また、例えばオン保持部材を移動方向に延びた板状に設ける場合でも、オン操作部の保持性能を十分に発揮することができる。
【００１１】
本開示の他の特徴によると電動工具は、オン保持部材をオン操作部と係合する方向に付勢するばねを備えている。
【００１２】
従って、比較的シンプルかつ比較的安価な構成で、オン保持部材をオン操作部に自動的に係合させることができる。また、比較的シンプルな構成であるため、スイッチの特にオン保持部材周りをコンパクトにできる。
【００１３】
本開示の他の特徴によると電動工具は、オン操作部とは別にオフ操作部を備えている。オフ操作部を操作することで、オン操作部とオン保持部材の係合を解除する。
【００１４】
従って、複雑な操作を必要とせず、オフ操作部の操作のみでオン操作部とオン保持部材の係合を解除できる。
【００１５】
本開示の他の特徴によるとオン操作部とオフ操作部は、押し操作されるボタンである。
オフ操作部の押し操作方向は、オン操作部の押し操作方向と同じである。
【００１６】
従って、オン操作部とオフ操作部を、使用者が押し操作し易い箇所に横並びで配置することができる。また、横並びで配置できることにより、スイッチの特にオン操作部とオフ操作部の周りをコンパクトにできる。
【００１７】
本開示の他の特徴によるとオフ操作部は、オン保持部材がオン操作部と係合する方向と交差する方向に延びる傾斜面を備えている。オフ操作部を押し操作することで、傾斜面がオン保持部材を押して、オン操作部とオン保持部材の係合を解除する。
【００１８】
従って、オフ操作部を押し操作する比較的小さい力のみで、オン操作部とオン保持部材の係合を解除することができる。また、傾斜面という比較的シンプルな構成でオン操作部とオン保持部材の係合を解除できるため、スイッチの特にオフ操作部の周りをコンパクトにできる。
【００１９】
本開示の他の特徴によると電動工具は、オン操作部の周囲の少なくとも一部にリブを備えている。
【００２０】
従って、オン操作部を操作するためには、例えばリブで囲まれた箇所へと指等を入れて操作する必要がある。そのため、オン操作部の周囲にリブを設けることにより、オン操作部を不用意に操作することを抑制できる。また、オン操作部に他部材が接触等して不用意に操作されてしまうことを防止できる。
【００２１】
本開示の他の特徴によると電動工具は、スイッチ本体とオン操作部とオン保持部材をアッセンブリ化している。
【００２２】
従って、スイッチを電動工具に組み付ける作業の作業性を高めることができる。また、例えばリード線等の電材部品が、オン操作部とオン保持部材の係合箇所等に干渉することを抑制できる。
【００２３】
本開示の他の特徴によると電動工具は、スイッチ本体とオン操作部とオフ操作部とオン保持部材をアッセンブリ化している。
【００２４】
従って、オン操作部とオフ操作部をそれぞれ備えたスイッチについて、電動工具に組み付ける作業の作業性を高めることができる。
【００２５】
本開示の他の特徴によると電動工具は、ＤＣ電源から電源供給されるダイヤコアドリルである。
【００２６】
従って、ＡＣ電源からの電源供給が難しい作業場所である場合でも、例えば電動工具用のバッテリ等のＤＣ電源からの電源供給によって、ダイヤコアドリルを使用することができる。ブラシレスモータを備えたＤＣダイヤコアドリルに本開示に係るスイッチを組み付けることにより、オン状態での作業時間が長いＤＣダイヤコアドリルをオン状態で保持したまま使用することができる。
【図面の簡単な説明】
【００２７】
【図１】本実施形態に係る電動工具の全体右側面図である。
【図２】本実施形態に係る電動工具の全体平面図である。
【図３】本実施形態に係る電動工具のスイッチの全体斜視図である。
【図４】本実施形態に係る電動工具のスイッチの分解斜視図である。
【図５】本実施形態に係る電動工具のスイッチ本体の斜視図である。
【図６】本実施形態に係る電動工具のスイッチ本体の左側面図である。
【図７】本実施形態に係る電動工具の下ケースの斜視図である。
【図８】本実施形態に係る電動工具の下ケースの平面図である。
【図９】本実施形態に係る電動工具のオンボタンの斜視図である。
【図１０】本実施形態に係る電動工具のオンボタンの平面図である。
【図１１】本実施形態に係る電動工具のオンボタンの前面図である。
【図１２】本実施形態に係る電動工具のオフボタンの斜視図である。
【図１３】本実施形態に係る電動工具のオフボタンの前面図である。
【図１４】本実施形態に係る電動工具のオン保持部材の斜視図である。
【図１５】本実施形態に係る電動工具のオン保持部材の平面図である。
【図１６】本実施形態に係る電動工具の上ケースの斜視図である。
【図１７】本実施形態に係る電動工具の上ケースの平面図である。
【図１８】上ケースを外したスイッチの全体平面図であって、オンボタンが押し操作の解除位置に位置する状態を示す図である。
【図１９】図１８のＸＩＸ−ＸＩＸ線断面矢視図であって、スイッチの縦断面図である。
【図２０】上ケースを外したスイッチの全体平面図であって、オンボタンが押し操作位置に位置する状態を示す図である。
【図２１】図２０のＸＸＩ−ＸＸＩ線断面矢視図であって、スイッチの縦断面図である。
【図２２】図１８のＸＩＸ−ＸＩＸ線断面矢視図であって、オフボタンを押し操作した直後におけるスイッチの縦断面図である。
【図２３】図１８のＸＩＸ−ＸＩＸ線断面矢視図であって、オフボタンを押し操作した後にオンボタンが解除位置に移動した時のスイッチの縦断面図である。
【図２４】電動工具のスイッチの参考例の全体斜視図である。
【図２５】電動工具のスイッチの参考例の分解斜視図である。
【図２６】電動工具のスイッチの参考例がオン状態の時の前面図である。
【図２７】電動工具のスイッチの参考例がオン状態の時の左側面図である。
【図２８】電動工具のスイッチの参考例がオフ状態の時の前面図である。
【図２９】電動工具のスイッチの参考例がオフ状態の時の左側面図である。
【発明を実施するための形態】
【００２８】
次に、本発明の実施形態を図１〜図２３に基づいて説明する。図１，２に示すように、本実施形態では、回転刃具１５を備えたいわゆるダイヤコアドリルと称される電動工具であって、バッテリ２５を電源とする電動工具１を例示する。電動工具１は、壁や床等の設置面Ｆに固定可能なベース２と、ベース２から上方に延びる支柱３と、支柱３に上下方向に移動可能に支持された上下可動部４を備えている。上下可動部４には、モータ１０と、モータ１０によって駆動する出力軸１３が支持されている。出力軸１３に取り付けられる回転刃具１５は、有底円筒形の回転体の先端部にダイヤモンド粒子を付着させて切削部としたもので、通常ダイヤモンドコアビットと呼ばれるものが用いられている。通常使用者は、回転刃具１５が位置する電動工具１の前側（図１において左側）に位置して当該電動工具１を操作する。以下の説明において、上下前後左右方向については使用者を基準とする。
【００２９】
［電動工具１の各部説明］
図１，２に示すように、ベース２は、金属製で平板形状の台座として設けられている。ベース２の概ね中心部には、板厚方向（上下方向）に貫通するボルト孔２ａが設けられている。ボルト孔２ａを通してアンカーボルトを壁や床等の設置面Ｆに打ち付け、このアンカーボルトをナットで締め付けることで、ベース２を設置面Ｆに固定することができる。ボルト孔２ａは前後に長い長孔に形成されていることから、ベース２は前後に一定の範囲で位置調整可能となっている。また、ベース２の縁辺部には上下方向に延びるレベル調整ねじ孔２ｂが複数設けられている。レベル調整ねじ孔２ｂにレベル調整ねじを下向きに突出するように取り付け、その突出長さをそれぞれ調整することで、ベース２を設置面Ｆに対して水平にすることができる。支柱３は、ベース２から上方に向かってまっすぐ延びた柱状をしている。支柱３の後面には、支柱３に沿って上下方向に延びる棒状のラックギヤ３ａが設けられている。ラックギヤ３ａには、後述するピニオンギヤ５ｃが噛み合わされている。
【００３０】
図１，２に示すように、上下可動部４は、支柱３に対して上下方向に移動可能に支持された可動支持部５と、可動支持部５の前方に向かって水平に延びるモータ支持部６を備えている。可動支持部５の概ね中心部には、支柱貫通孔５ａが上下方向に延びて貫通している。支柱貫通孔５ａは、支柱３が貫通可能な大きさと形を有しており、上下可動部４が支柱３に対して上下方向に移動できるように設けられている。可動支持部５の内部には、ピニオンギヤ５ｃとピニオン回転軸５ｂが、一体で回転可能に支持されている。このピニオンギヤ５ｃがラックギヤ３ａに噛み合わされている。ピニオン回転軸５ｂの両端部は、それぞれ可動支持部５の左右側部から側方へ突き出ている。図１，２では、ピニオン回転軸５ｂの左側の突き出し部分に、Ｔ字形のハンドル７が取り付けられた状態が示されている。ハンドル７は、ピニオン回転軸５ｂの右側の突き出し部分に付け替えることができる。
【００３１】
図２に示すように、ハンドル７は、軸部７ａと、軸部７ａから径方向外向きに延びるアーム部７ｂを備えておりＴ字形を有している。ハンドル７を回転操作することで、ピニオンギヤ５ｃが回転してピニオンギヤ５ｃとラックギヤ３ａの噛み合い位置が変わる。これにより、可動支持部５を上下に移動させることができる。使用者は、ハンドル７のアーム部７ｂを把持して回転操作することにより、図１に示す回転刃具１５に対して下方への大きな押し下げ力（せん孔力）を付加させることができる。
【００３２】
図１に示すように、モータ支持部６の上面には、駆動部８が搭載されている。駆動部８は、側面視で略Ｃ字形の駆動部ケース９を備えている。駆動部ケース９の底部９ａは、モータ支持部６の上面に沿って水平に張り出している。駆動部ケース９の縦部９ｂは、底部９ａの後部から上方へ垂直に延びている。縦部９ｂの上部には、前方へ水平に張り出す天板部９ｃが設けられている。駆動部ケース９の底部９ａにモータ１０が内装されている。モータ１０には、小型で高出力のブラシレスモータが用いられている。モータ１０は、ブラシレスモータであることによりモータ軸方向（方向）にコンパクト化が図られた薄型モータで、高さ方向のスペースが限られた底部９ａにコンパクトに収容されている。
【００３３】
図１に示すように、駆動部ケース９の縦部９ｂには、モータ１０の動作制御を行うためのコントローラ１２が内装されている。コントローラ１２は、矩形平板形の制御基板を矩形底浅のケースに内装して樹脂モールドしたもので、図示するようにその長手方向を上下方向に沿わせた縦置き姿勢で縦部９ｂに内装されている。コントローラ１２に収容された制御基板等により、モータ１０の負荷に応じた回転数制御等の動作制御がなされる。
【００３４】
図１に示すように、駆動部８の下方には、モータ支持部６の下面から下方向に延びる出力軸１３が設けられている。出力軸１３の延びる方向は、上下可動部４の移動方向に沿っている。出力軸１３は、モータ支持部６に回転可能に支持されている。モータ１０の出力は、モータ支持部６の内部に設けられた減速ギヤ列（図示省略）の噛み合い等を経て出力軸１３に伝達される。出力軸１３に対して固定された回転刃具１５は、出力軸１３の軸方向及び上下可動部４の移動方向に沿って下方にまっすぐ延びた円柱形状をしている。回転刃具１５の回転中心は、出力軸１３の軸中心と一致している。回転刃具１５の下端部は、ダイヤモンド粒子を付着させた切削部１５ａになっている。孔開け加工が施される被加工材Ｗは、回転刃具１５の下方に固定される。モータ１０により回転する回転刃具１５の切削部１５ａを、ハンドル７の回転操作により被加工材Ｗの上面に押し付けることにより、当該被加工材Ｗに孔開け加工がなされる。
【００３５】
図１に示すように、モータ１０の出力軸には冷却ファン１６が取り付けられている。駆動部ケース９の内部であって、底部９ａと縦部９ｂと天板部９ｃの内部は相互に連通されている。天板部９ｃの前端部には、複数の吸気口９ｄが設けられている。底部９ａの前端部には、複数の排気口９ｅが設けられている。モータ１０が起動して冷却ファン１６が回転すると、吸気口９ｄを経て駆動部ケース９内に外気が導入される。導入された外気は、図１中白抜き矢印で示すように縦部９ｂを経て下方へ向かって流れ、その後底部９ａの排気口９ｅを経て外部へ排気される。冷却ファン１６の回転により駆動部ケース９の上部から下部へ至るモータ冷却風の流れが発生する。図１中白抜き矢印で示すモータ冷却風の流れにより、モータ１０とコントローラ１２の冷却がなされる。
【００３６】
図１に示すようにモータ１０への電力供給は２個のバッテリ２５を電源としてなされる。２個のバッテリ２５は、取付面２５ａを介してそれぞれバッテリ取付部２０に取り付けられている。２つのバッテリ取付部２０は、モータ１０の上方であって、駆動部ケース９の縦部９ｂの前面に、上下に横並び状態に設けられている。上下２つのバッテリ取付部２０は、相互に同じ構成を備えており、それぞれバッテリ２５を左右方向（横方向）に移動させて取り付け、取り外しする横向きに配置されている。バッテリ２５は、バッテリ取付部２０に対して右方から左方へスライドさせることで取り付けることができる。また、バッテリ２５は、ロック解除ボタン２５ｂを押し操作して、バッテリ取付部２０に対して左方から右方へスライドさせることで取り外すことができる。
【００３７】
バッテリ２５は、概ね６面体の直方体形状を有するバッテリケースに複数本のバッテリセルを収容したもので、ねじ締め工具等の他の充電式電動工具の電源としても用いられる汎用し得の高い１８Ｖ出力のリチウムイオンバッテリが用いられている。２個のバッテリ２５の合計電圧３６Ｖを電源としてモータ１０が起動する。バッテリ２５は、バッテリ取付部２０から取り外して別途用意した充電器によって充電することにより、繰り返し電源として使用することができる。
【００３８】
図１，２に示すように、２個のバッテリ２５は、平面視で天板部９ｃの側方からはみ出さない状態に取り付けられている。また、駆動部ケース９の底部９ａ及び縦部９ｂに対しても２個のバッテリ２５がはみ出さない状態に取り付けられている。このことから、天板部９ｃひいては駆動部ケース９が、バッテリ２５に対して他部材が干渉しないようにするためのガードとして機能している。
【００３９】
図１，２に示すように駆動部ケース９の天板部９ｃの上面には、スイッチ類を含む操作部１７が設けられている。操作部１７には、モータ１０を起動又は停止させるスイッチ３０と、負荷状態表示部１７ａと、バッテリ残容量表示部１７ｂが設けられている。スイッチ３０のオンボタン３３を押し操作すると、モータ１０が起動して回転刃具１５が回転する。負荷状態表示部１７ａによりモータ１０の負荷状態が表示され、バッテリ残容量表示部１７ｂによりバッテリ２５の残容量が表示される。操作部１７には、バッテリ切替スイッチを配置する構成としてもよい。バッテリ切替スイッチを押し操作して、使用バッテリを１個（１８Ｖ）又は２個（３６Ｖ）に切り替え可能な構成とすることができる。
【００４０】
［スイッチ３０］
図１，２に示すように、スイッチ３０は、駆動部ケース９の天板部９ｃの上面の操作部１７に配置されている。スイッチ３０には、オンボタン（オン操作部）３３とオフボタン（オフ操作部）３４が設けられている。オンボタン３３の押し操作部３３ａを押し操作することでスイッチ３０がオン状態になる。オフボタン３４の押し操作部３４ａを押し操作することでスイッチ３０がオフ状態になる。オンボタン３３とオフボタン３４は、押し操作する方向が下向きになるように、押し操作部３３ａ，３４ａが上側に配置されている。オンボタン３３とオフボタン３４は、左右横並びで配置されており、右側にオンボタン３３が配置され、左側にオフボタン３４が配置されている。
【００４１】
図３，４に示すように、スイッチ３０は、下ケース３２と上ケース３６を備えている。下ケース３２と上ケース３６を組み合わせることで、箱形空間が形成される。スイッチ３０は、この箱形空間にスイッチ本体３１とオンボタン３３とオフボタン３４とオン保持部材３５を備えている。以下の説明において、スイッチ３０の各構成の上下前後左右方向については、図１，２に示すスイッチ３０の配置を基準とする。
【００４２】
図５，６に示すようにスイッチ本体３１は、略直方体の形状を有している。スイッチ本体３１は、長手方向を左右方向に、短手方向を前後方向にした姿勢で図７に示す下ケース３２のスイッチ本体収容部３２ａに収容される。スイッチ本体３１は、いわゆるプランジャスイッチと称されるスイッチであり、一般にブラシレスモータの起動停止用のスイッチとして好適に用いられるものが流用されている。スイッチ本体３１は、その上面から上方に向かって延出するプランジャ３１ａを備えている。プランジャ３１ａは、上下方向に延びる棒材であり、上側ほぼ半分が上面から突き出され、下側ほぼ半分はスイッチケース３１ｄ内に進入して上下に変位可能に支持されている。スイッチケース３１ｄの上面から突き出されたプランジャ３１ａの上側半分は、蛇腹形の防塵カバーで覆われている。プランジャ３１ａは、上方に変位する方向にばね付勢されている。プランジャ３１ａを押し操作して下方に変位させることで、スイッチ本体３１はオン状態になる。プランジャ３１ａの押し操作を止めると、ばね付勢力によってプランジャ３１ａが自動的に上方へ変位して、スイッチ本体３１がオフ状態になる。
【００４３】
図５，６に示すように、スイッチ本体３１の左側面には、１対の電源端子３１ｂが設けられている。電源端子３１ｂをモータ１０と電気的に接続することにより、スイッチ本体３１がオン状態の場合モータ１０が電力供給されて起動し、スイッチ本体３１がオフ状態の場合モータ１０が電力遮断により停止する。スイッチ本体３１の前面には、信号端子３１ｃが設けられている。信号端子３１ｃを経て、スイッチ本体３１のオンオフ状態等に関する情報についての信号（オン信号）が発信される。信号端子３１ｃを経てスイッチ本体３１がコントローラ１２と電気的に接続されることにより、スイッチ本体３１からコントローラ１２へと、モータ１０を制御するために必要なオン信号を送信することができる。
【００４４】
図９〜１１に示すように、オンボタン３３は、略直方体の押し操作部３３ａと、押し操作部３３ａの前後両端の下部から下方に延びる１対の脚部３３ｂを有している。押し操作部３３ａの上面は、わずかに下方に窪んだ凹面に形成されている。そのため、押し操作部３３ａを不用意に押し操作し難くなっている。脚部３３ｂの前後方向において外側面には、上下方向に延びる凹形レール部３３ｃが形成されている。凹形レール部３３ｃに後述する凸形レール部３２ｃを進入させることで、オンボタン３３が上下にスムーズに変位可能に支持されるとともに、下ケース３２に対するオンボタン３３の左右方向の位置決めがなされる。凹形レール部３３ｃの上端面を側方から見ると、左方から右方に向かうに従って下方に向かって傾斜している（傾斜面３３ｇ）。一方、凸形レール部３２ｃの上端も同じ向きに傾斜している（傾斜面３２ｋ、図７参照）。両傾斜面３２ｋ，３３ｇの傾斜方向を一致させることで、オンボタン３３が左右方向について正しい向きで下ケース３２に組み付けられる。これに対して、例えばオンボタン３３を組み付ける時にオンボタン３３を誤って左右逆向きに組み付けてしまうと両傾斜面３２ｋ，３３ｇの傾斜方向が相互に反対になってオンボタン３３が所定の高さ位置に組み付けられなくなり、これにより当該オンボタン３３の誤った向きでの下ケース３２への組み付けが防止される。
【００４５】
図９〜１１に示すように、両脚部３３ｂの右側部上端には、それぞれ切欠き部３３ｄが設けられている。切欠き部３３ｄは、第１面３３ｅと第２面３３ｆを有している。第１面３３ｅは、上下方向及び前後方向に沿って延びる縦面（垂直面）に形成されている。第２面３３ｆは、上下方向に沿って延び、かつ右方から左方に向かうに従って前後方向外方に傾斜する方向に沿って延びる縦面に形成されている。第１面３３ｅと第２面３３ｆは、切欠き部３３ｄにおいて交差している。切欠き部３３ｄは、図１０のように平面視で台形形状を有している。
【００４６】
図１２，１３に示すように、オフボタン３４は、略直方体の押し操作部３４ａと、押し操作部３４ａの前後両端の下部から下方に延びる対の脚部３４ｂを有している。脚部３４ｂの外側面には、上下方向に延びる凹形レール部３４ｃが形成されている。オフボタン３４の押し操作部３４ａは、オンボタン３３の押し操作部３３ａより一回り大きく設けられている。また、押し操作部３４ａの上面は、オンボタン３３とは逆に緩やかに盛り上がる凸面に形成されている。そのため、オフボタン３４の押し操作（オフ操作）の方が、オンボタン３３の押し操作（オン操作）より操作しやすくなっている。凹形レール部３４ｃに後述する凸形レール部３２ｅを進入させることで、オフボタン３４が下ケース３２に対して上下にスムーズに変位可能に支持されるとともに、下ケース３２に対するオフボタン３４の左右方向の位置決めがなされる。両脚部３４ｂの右側部上端には、右方から左方に向かうに従って下方に向かって傾斜する傾斜面３４ｄが設けられている。両脚部３４ｂの左側部上側には、下方及び左方に張り出しており下端が水平であるばね受け部３４ｅが設けられている。なお、傾斜面３４ｄとばね受け部３４ｅの形状が十分に異なることにより、オフボタン３４を左右逆向きに下ケース３２へと組み付けることが防止される。そのため、凹形レール部３４ｃの上端と凸形レール部３２ｅの上端には、特段の傾斜面は設けられていない。
【００４７】
図１４，１５に示すように、オン保持部材３５は、例えば金属材料で形成される板状部材（板金製品）である。オン保持部材３５は、外形が略矩形で内側が中空であり、かつ前後方向について略線対称である枠形状を有している。オン保持部材３５の枠部３５ｇは、上下面が互いに平行な平滑面に形成されている。枠部３５ｇの内側右端には、台形形状に内方に張り出した張出部３５ｃが前後に１つずつ設けられている。張出部３５ｃは、互いに交差する第１面３５ａと第２面３５ｂを有している。第１面３５ａは、上下方向（板厚方向）及び前後方向に沿って延びる縦面に形成されている。第２面３５ｂは、上下方向に沿って延び、かつ右方から左方に向かうに従って前後方向外方に傾斜する方向に沿って延びる縦面に形成されている。張出部３５ｃの張出し形状は、図９に示すオンボタン３３の切欠き部３３ｄの切り欠き形状と凹凸係合して収まる大きさ及び形状に設けられている。
【００４８】
図１４，１５に示すように、オン保持部材３５の左右方向において略中間位置には、前後方向内方に張り出した中間張出部３５ｆが前後にそれぞれ１つずつ設けられている。中間張出部３５ｆの左側には、左方に向かって張り出し、かつ下方に向かってＬ字形に曲がるオフボタン受け部３５ｄが設けられている。中間張出部３５ｆの右側には、右方に向かって水平に張り出した棒状のばね保持部３５ｅが設けられている。
【００４９】
図７，８に示すように、下ケース３２は、上部が開口した箱形形状を有しており、前後方向について略線対称に設けられている。下ケース３２は、その中央部にスイッチ本体収容部３２ａを備えている。スイッチ本体収容部３２ａには、図５に示すスイッチ本体３１が、プランジャ３１ａを上側とし、かつ電源端子３１ｂ側を左側として収容される。スイッチ本体収容部３２ａの右部の前後両側には、オンボタン３３の脚部３３ｂが進入可能であるオンボタン保持部３２ｂが設けられている。オンボタン保持部３２ｂの左右方向において略中間位置には、凸形レール部３２ｃが設けられている。凸形レール部３２ｃは、下ケース３２の内壁から前後方向内方に張り出しており、かつ上下方向を長手方向として延在している。凸形レール部３２ｃは、図９に示すオンボタン３３の凹形レール部３３ｃと凹凸係合して収まる大きさ及び形状に設けられている。
【００５０】
図７，８に示すように、スイッチ本体収容部３２ａの左部の前後両側には、オフボタン３４の脚部３４ｂが進入可能であるオフボタン保持部３２ｄが設けられている。オフボタン保持部３２ｄの左右方向において略中間位置には、凸形レール部３２ｅが設けられている。凸形レール部３２ｅは、下ケース３２の内壁から前後方向内方に張り出しており、かつ上下方向を長手方向として延在している。凸形レール部３２ｅは、図１２に示すオフボタン３４の凹形レール部３４ｃと凹凸係合して収まる大きさ及び形状に設けられている。
【００５１】
図７，８に示すように、下ケース３２の内側の上部周縁部には、水平な平滑面であるオン保持部材スライド面３２ｆが設けられている。２箇所のオンボタン保持部３２ｂの左側には、オン保持部材スライド面３２ｆより上方に張り出したばね受け部３２ｇが設けられている。２箇所のオフボタン保持部３２ｄの左側には、上下方向に延びる円形孔状のばね収容部３２ｈが設けられている。下ケース３２の左側面には、下ケース３２の内外を貫通する開口部３２ｉが設けられている。開口部３２ｉは、スイッチ本体収容部３２ａに収容したスイッチ本体３１（図４，５参照）の電源端子３１ｂや信号端子３１ｃから延びるリード線等の配線経路になっている。下ケース３２の前後両側の外側面には、外方に突出した爪部３２ｊが設けられている。爪部３２ｊの下部は、爪部３２ｊの上部よりも外側に突出している。爪部３２ｊは、下ケース３２の前後の外側面にそれぞれ左右２つずつ設けられており、計４つ設けられている。
【００５２】
図１６，１７に示すように、上ケース３６は、平面視で略矩形を有しており、図７に示す下ケース３２の上側の開口部を覆う蓋状に設けられている。上ケース３６の上面の右部には、略矩形のオンボタン孔３６ａが上下方向に貫通して設けられている。オンボタン孔３６ａは、図９に示すオンボタン３３の押し操作部３３ａが通過可能な大きさ及び形状に形成されている。オンボタン孔３６ａは、上方に張り出したリブ３６ｂによってその周囲が囲まれている。リブ３６ｂは、図９に示すオンボタン３３を組み付け、オンボタン３３の押し状態が解除されている時に、押し操作部３３ａの上面と略同じ高さになるように形成されている。上ケース３６の上面の左部には、略矩形のオフボタン孔３６ｃが上下方向に貫通して設けられている。オフボタン孔３６ｃは、図１２に示すオフボタン３４の押し操作部３４ａが通過可能な大きさ及び形状に形成されている。
【００５３】
図１６，１７に示すように、上ケース３６の前後両側面には、引掛け部３６ｄが下方に延出して設けられている。引掛け部３６ｄは、上ケース３６の前後両側面にそれぞれ左右２つずつ設けられており、計４つ設けられている。引掛け部３６ｄの略中央には、略矩形の引掛け孔３６ｅが貫通している。引掛け孔３６ｅは、図７に示す下ケース３２の爪部３２ｊと係合可能な位置において係合可能な大きさ及び形状に形成されている。
【００５４】
図４を参照して、下ケース３２と上ケース３６が形成する箱形空間への、スイッチ本体３１とオンボタン３３とオフボタン３４とオン保持部材３５の組み付けについて説明する。スイッチ本体３１は、プランジャ３１ａを上側とし、かつ電源端子３１ｂ側を左側としてスイッチ本体収容部３２ａに収容される。オン保持部材スライド面３２ｆにオン保持部材３５を載置する。オン保持部材３５は、オン保持部材スライド面３２ｆに沿って左右方向にスライド可能に載置される。オン保持部材３５の２箇所のばね保持部３５ｅそれぞれに圧縮ばね３７を通し、圧縮ばね３７の右端を下ケース３２のばね受け部３２ｇに当接させる。これにより、オン保持部材３５は、圧縮ばね３７によって左方へと付勢される。下ケース３２の２箇所のばね収容部３２ｈそれぞれには、圧縮ばね３８が挿入される。
【００５５】
オンボタン３３は、プランジャ３１ａの上方においてスイッチ本体３１の右部側を前後に跨ぐ姿勢で、かつオン保持部材３５の枠部３５ｇの枠内を通るようにして下ケース３２に組み付けられる。この際に、下ケース３２側の凸形レール部３２ｃの傾斜面３２ｋに対して、凹形レール部３３ｃの傾斜面３３ｇの傾斜方向が同じ方向となるよう、オンボタン３３の左右の向きが確認されて組み付けられる。下ケース３２のオンボタン保持部３２ｂに脚部３３ｂを挿入し、凸形レール部３２ｃと凹形レール部３３ｃを凹凸係合させる。これにより、オンボタン３３は、下ケース３２に対する左右方向の位置決めがなされ、凸形レール部３２ｃに沿って上下方向に案内されて移動する。
【００５６】
オフボタン３４も、オンボタン３３と同様に、スイッチ本体３１の左部側を前後に跨ぐ姿勢で、かつオン保持部材３５の枠部３５ｇの枠内を通るようにして下ケース３２に組み付けられる。オフボタン３４は、ばね受け部３４ｅが左側、傾斜面３４ｄが右側となるようその左右の向きが確認されて組付けられる。下ケース３２のオフボタン保持部３２ｄに脚部３４ｂを挿入し、凸形レール部３２ｅと凹形レール部３４ｃを凹凸係合させる。これにより、オフボタン３４は、下ケース３２に対する左右方向の位置決めがなされ、凸形レール部３２ｃに沿って上下方向に案内されて移動する。傾斜面３４ｄは、オン保持部材３５のオフボタン受け部３５ｄの略上方に位置し、オフボタン受け部３５ｄと当接可能である。ばね受け部３４ｅの下端は、ばね収容部３２ｈに収容された圧縮ばね３８の上端と当接する。
【００５７】
スイッチ本体３１とオンボタン３３とオフボタン３４とオン保持部材３５を組み付けた状態で、下ケース３２の上部に上ケース３６を被せ、４箇所の引掛け孔３６ｅにそれぞれ対応する爪部３２ｊを引き掛ける。これにより、スイッチ本体３１とオンボタン３３とオフボタン３４とオン保持部材３５がアッセンブリ化される。
【００５８】
次に、図１８〜２３に基づいて、スイッチ３０のオン操作とオフ操作について説明する。図１８，１９に示すように、オンボタン３３の押し状態が解除されている時、オンボタン３３はプランジャ３１ａのばね付勢力によって上方に押し上げられて上動端位置（解除位置）に位置している。圧縮ばね３７によって左方に付勢されているオン保持部材３５の張出部３５ｃは、オンボタン３３が解除位置に位置する状態では、脚部３３ｂの右側面に当接している。オフボタン３４は、ばね受け部３４ｅの下端が圧縮ばね３８の上端に当接していることにより上方に付勢されている。そのため、傾斜面３４ｄは、オン保持部材３５のオフボタン受け部３５ｄと接触せずに離れている。
【００５９】
図２０，２１に示すように、プランジャ３１ａの付勢力に抗してオンボタン３３の押し操作部３３ａを下方へ押し操作すると、スイッチ本体３１がオン状態になる。オン保持部材３５は、圧縮ばね３７によって左方に付勢されている。そのため、押し操作部３３ａの押し操作によって切欠き部３３ｄがオン保持部材３５と同じ上下位置（押し操作位置）になる時、張出部３５ｃが切欠き部３３ｄに進入する。張出部３５ｃが切欠き部３３ｄに進入すると、オン保持部材３５の第１面３５ａがオンボタン３３の第１面３３ｅに当接し、オン保持部材３５の第２面３５ｂがオンボタン３３の第２面３３ｆに当接する。これにより、切欠き部３３ｄと張出部３５ｃが係合し、この係合によってオンボタン３３が押し操作位置に保持される。すなわち、押し操作したオンボタン３３は、プランジャ３１ａの付勢力によって上方へと移動せず、スイッチ本体３１がオン状態に保持される。
【００６０】
図２２に示すように、オンボタン３３が押し操作位置に保持されており、スイッチ本体３１がオン状態の時に、オフボタン３４の押し操作部３４ａを下方へ押し操作する。押し操作部３４ａの押し操作に伴って傾斜面３４ｄがオフボタン受け部３５ｄと当接し、この当接状態で傾斜面３４ｄがさらに下方に移動する。これにより、傾斜面３４とオフボタン受け部３５ｄの当接箇所が次第に右方位置に移動するため、オフボタン受け部３５ｄが傾斜面３４に押されて右方へ移動する。かくして、オン保持部材３５が右方へ移動し、切欠き部３３ｄと張出部３５ｃの係合が解除される。この係合の解除によって、オンボタン３３は、図２３に示すようにプランジャ３１ａの付勢力によって押し操作位置から上方の解除位置へと移動する。オンボタン３３が解除位置に移動すると、スイッチ本体３１がオフ状態になる。
【００６１】
以上説明した電動工具１によれば、スイッチ本体３１には、信号線が結線されてコントローラ１２に対してオン信号が送信されることから、ブラシレスモータであるモータ１０の制御に適している。また、オンボタン３３の押し操作部３３ａを押し操作することで、プランジャ３１ａが押し操作（オン操作）されて、スイッチ本体３１がオン状態になる。オンボタン３３の押し操作部３３ａの押し操作を解除しても、オンボタン３３の切欠き部３３ｄとオン保持部材３５の張出部３５ｃとが自動的に係合することで、オンボタン３３が押し状態の上下位置で保持される。そのため、プランジャ３１ａのオン操作状態が維持されて、スイッチ本体３１はオン状態で保持される。定置式の電動工具１に組み付けるスイッチ本体３１をオン状態で保持できることにより、オン操作を続けなくても長時間オン状態のままで電動工具１を使用することができる。かくして、スイッチ本体３１としてブラシレスモータの制御に適したプランジャスイッチを流用して当該スイッチ３０の低コスト化を図りつつ、プランジャスイッチにオン位置保持機能を持たせることで高い操作性が確保されて、ブラシレスモータを駆動源とするダイヤコアドリルの起動スイッチとして、低コスト化と高い操作性を両立させることができる。
【００６２】
また、電動工具１によれば、オン保持部材３５がオンボタン３３の押し操作方向（下方向）と交差する左方に移動することで、切欠き部３３ｄと張出部３５ｃが自動的に係合する。切欠き部３３ｄと張出部３５ｃの係合によって、特に押し操作方向に沿った上下方向へのオンボタン３３の移動を規制できる。これにより、オン保持部材３５によるオンボタン３３の保持性能が高まる。また、オン保持部材３５を上下方向長さが短い板状に設ける場合でも、オンボタン３３の保持性能を十分に発揮することができる。これにより、スイッチ３０を上下方向についてコンパクトにできる。
【００６３】
また、電動工具１によれば、オン保持部材３５は、圧縮ばね３７によってオンボタン３３と係合する左方に付勢されている。従って、圧縮ばね３７を備えるという比較的シンプルかつ比較的安価な構成で、張出部３５ｃを切欠き部３３ｄに自動的に係合させることができる。また、比較的シンプルな構成であるため、スイッチ３０の特にオン保持部材３５の周りをコンパクトにできる。
【００６４】
また、電動工具１によれば、オンボタン３３とは別に設けられたオフボタン３４の押し操作部３４ａを押し操作することで、オンボタン３３の切欠き部３３ｄとオン保持部材３５の張出部３５ｃの係合を解除し、オンボタン３３の押し操作位置での位置保持を解除する。従って、複雑な操作を必要とせず、押し操作部３４ａの押し操作のみでオンボタン３３の押し操作位置での位置保持を解除できる。
【００６５】
また、電動工具１によれば、オンボタン３３とオフボタン３４は、共に押し操作可能な操作部である。オフボタン３４の押し操作部３４ａの押し操作方向は、オンボタン３３の押し操作部３３ａの押し操作方向と同じ下方向である。従って、オンボタン３３とオフボタン３４を、使用者が押し操作し易い箇所に横並びで配置することができる。また、横並びで配置できることにより、スイッ３０チの特にオンボタン３３とオフボタン３４の周りをコンパクトにできる。
【００６６】
また、電動工具１によれば、オフボタン３４の傾斜面３４ｄは、オン保持部材３５がオンボタン３３と係合する方向（左右方向）と交差する方向に延びている。押し操作部３４ａを押し操作することで、傾斜面３４ｄがオン保持部材３５のオフボタン受け部３５ｄを右方へ押して、オンボタン３３の切欠き部３３ｄとオン保持部材３５の張出部３５ｃとの係合が解除される。従って、押し操作部３４ａを押し操作する比較的小さい力のみで切欠き部３３ｄと張出部３５ｃの係合を解除できる。また、傾斜面３４ｄという比較的シンプルな構成で係合を解除できるため、スイッチ３０の特にオフボタン３４の周りをコンパクトにできる。
【００６７】
また、電動工具１によれば、上ケース３６のオンボタン孔３６ａの周囲には、上方に延びたリブ３６ｂが設けられている。従って、オンボタン３３を操作するためには、リブ３６ｂで囲まれた内側領域へと指等を入れて操作する必要がある。そのため、オンボタン３３の周囲にリブ３６ｂを設けることにより、オンボタン３３を不用意に操作することを抑制できる。また、リブ３６ｂによりオンボタン３３に他部材が接触、干渉等することが防止されてその不用意な操作が防止される。
【００６８】
また、電動工具１によれば、スイッチ本体３１とオンボタン３３とオフボタン３４とオン保持部材３５をアッセンブリ化している。従って、スイッチ３０を電動工具１に組み付ける作業の作業性を高めることができる。また、例えば電源端子３１ｂや信号端子３１ｃから延びるリード線等の電材部品が、切欠き部３３ｄと張出部３５ｃの係合箇所等の可動部分に干渉することを抑制できる。
【００６９】
また、電動工具１によれば、例えばＡＣ電源からの電源供給が難しい作業場所である場合でも、ＤＣ電源であるバッテリ２５からの電源供給によって電動工具（ダイヤコアドリル）１を使用することができる。ブラシレスモータであるモータ１０を備えた電動工具１にスイッチ３０を組み付けることにより、モータ１０がオン状態での作業時間が長い電動工具１をオン状態で保持したまま使用することができる。
【００７０】
［参考例のスイッチ４０］
次に、図２４〜２９に基づいてブラシレスモータを備えた電動工具１のスイッチについて別形態の参考例を示す。電動工具１の基本構成については変更を要しないので、同位の符号を用いてその説明を省略する。図２４，２５に示すように、参考例のスイッチ４０は、前記例示した押しボタンスイッチとは異なる、いわゆるロッカースイッチ（シーソースイッチ）で、スイッチ本体４１と、ケース４２と、スイッチ本体４１を操作する押し操作部４３と、マイクロスイッチ４４を備えている。以下の説明において、スイッチ４０の各構成の上下前後左右方向については、図１，２に示すスイッチ３０に代えてスイッチ４０を同じ箇所に配置した場合を基準とする。
【００７１】
図２５に示すように、スイッチ本体４１は、いわゆるトグルスイッチと称されるものであり、上部にレバー４１ａを備え、下部に１対の電源端子４１ｂを備えている。レバー４１ａは、略上方に延びており、左右に揺動可能に支持されている。レバー４１ａを右方に揺動させるとスイッチ本体４１はオン状態になる。レバー４１ａを左方に揺動させるとスイッチ本体４１はオフ状態になる。電源端子４１ｂの略中央には円形の挿通孔４１ｃが設けられている。挿通孔４１ｃを介して電源線が電源端子４１ｂに結線されて、スイッチ本体４１が電動工具１の電源回路と電気的に接続されている。これにより、スイッチ本体４１がオン操作されると電源回路が導通し、スイッチ本体４１がオフ操作されると電源回路が遮断される。
【００７２】
図２５に示すように、ケース４２は、スイッチ本体４１を収容する本体収容部４２ａを備えている。本体収容部４２ａの上部の開口部からスイッチ本体４１を収容させることで、レバー４１ａが本体収容部４２ａより上方へ突き出した状態になる。図では詳しく見えていないが、本体収容部４２ａの下面には、１対の電源端子４１ｂと対応した１対の孔が設けられている。本体収容部４２ａにスイッチ本体４１を収容する時に、電源端子４１ｂをこの孔に通してケース４２の下方へ突出させる。突出した電源端子４１ｂに電源線が結線される。
【００７３】
図２５に示すように、ケース４２の前後両側部には、支持部４２ｂが左右対をなして本体収容部４２ａより上方へ張り出す状態に設けられている。両支持部４２ｂには、前後方向に貫通する円形の支持孔４２ｃが相互に同軸に設けられている。ケース４２の左側面前側には、前方に延出する上下１対の棒状のマイクロスイッチ保持部４２ｄが設けられている。マイクロスイッチ保持部４２ｄを後述するマイクロスイッチ４４の挿入孔４４ｆに挿入させることで、マイクロスイッチ４４がケース４２に保持される。ケース４２の左右両側面の上部には、左右方向外方にそれぞれ延びる上面が水平な台座部４２ｅが設けられている。右側又は左側の台座部４２ｅに押し操作部４３の下面が当たることにより、押し操作部４３の揺動範囲が規制される。
【００７４】
図２５に示すように、押し操作部４３は、上面右部にオン操作部４３ａを有し、上面左部にオフ操作部４３ｂを有し、下面中央に保持凹部４３ｅを有している。保持凹部４３ｅは、オン操作部４３ａとオフ操作部４３ｂの間において上方へ凹む凹形状に形成されている。保持凹部４３ｅにスイッチ本体４１のレバー４１ａの頭部が進入して保持される。押し操作部４３の前後両側部には、前後外方へとそれぞれ突出する略円柱状の揺動支軸４３ｃが相互に同軸に設けられている。前後の揺動支軸４３ｃが支持部４２ｂの支持孔４２ｃに挿通されて、押し操作部４３がケース４２に、揺動支軸４３ｃを中心にして揺動可能に支持される。
【００７５】
前後の支持部４２ｂの相互の対向面の上部であって、それぞれの支持孔４２ｃの上側には、傾斜面４２ｆが設けられている。両傾斜面４２ｆに、それぞれ揺動支軸４３ｃを摺接させながら押し操作部４３を押し下げることで、前後の支持部４２ｂを相互に離間する方向に弾性変形させて両揺動支軸４３ｃを容易に支持孔４２ｃに案内することができ、これによりケース４２に対する押し操作部４３の組み付け性が高められている。
【００７６】
オフ操作部４３ｂの下方であって、押し操作部４３の前面には、前方及び下方に張り出した板状のマイクロスイッチ操作部４３ｄが設けられている。マイクロスイッチ操作部４３ｄは、図２７に示すように左方から見て、前側上部の角部が切り欠かれた台形形状を有している。
【００７７】
図２５，２９に示すように、マイクロスイッチ４４の後側下端には、支持部４４ｂが設けられている。支持部４４ｂには、マイクロスイッチ４４の後面に概ね沿った板状の延出部４４ａが前後方向に傾動可能に支持されている。延出部４４ａは、支持部４４ｂから略上方に延出しており、その上端部に後方へと円弧状に張り出すように湾曲した湾曲部４４ｃを備えている。マイクロスイッチ４４の後側であって支持部４４ｂの上方には、後方に延びるプランジャ４４ｄが設けられている。プランジャ４４ｄは、前述したスイッチ本体３１のプランジャ３１ａと同様に、押し操作されるとマイクロスイッチ４４がオン状態になる。プランジャ４４ｄの押し操作を止めると、プランジャ４４ｄが付勢力によって突き出し側に変位して、マイクロスイッチ４４がオフ状態になる。延出部４４ａは、プランジャ４４ｄによって後方（オフ位置側）に傾動するように付勢されている。マイクロスイッチ４４がオン状態になるとモータ１０（図１参照）が起動し、マイクロスイッチ４４がオフ状態になるとモータ１０が停止する。
【００７８】
図２５に示すように、マイクロスイッチ４４の前側には、３つの接続端子４４ｅが上下に並んで設けられている。接続端子４４ｅは、図５に示す信号端子３１ｃと同様に、マイクロスイッチ４４のオンオフ状態の切り替えに際してモータ１０（図１参照）の制御に必要なオン信号を発信する。マイクロスイッチ４４には、左右方向に貫通しており、マイクロスイッチ保持部４２ｄを挿入可能な上下１対の挿入孔４４ｆが設けられている。
【００７９】
図２６，２７に示すようにオン操作部４３ａを押し操作すると、スイッチ本体４１がオン状態になり、マイクロスイッチ操作部４３ｄが上方へ変位する。その結果、湾曲部４４ｃがマイクロスイッチ操作部４３ｄによって前方（オン位置側）へ押されて、延出部４４ａがプランジャ４４ｄを付勢力に抗して押し操作する。プランジャ４４ｄの押し操作によってマイクロスイッチ４４がオン状態になる。
【００８０】
図２８，２９に示すようにオフ操作部４３ｂを押し操作すると、スイッチ本体４１がオフ状態になり、マイクロスイッチ操作部４３ｄが下方へ変位して湾曲部４４ｃから下方へ外れる。その結果、マイクロスイッチ操作部４３ｄによる延出部４４ａの押し操作が解除されてプランジャ４４ｄが突き出し側（オフ位置）に戻されて、マイクロスイッチ４４がオフ状態になる。このように、スイッチ４０は、比較的安価な構成要素でスイッチ本体４１とマイクロスイッチ４４を同時にオンオフ切替えできることから、電源のオンオフ機能と制御用のオン信号の送信機能を両立させることができる。そのため、スイッチ４０を、ブラシレスモータを備えた定置式のダイヤコアドリルの起動スイッチとして採用することができる。
【００８１】
以上説明した本実施形態の電動工具１には種々変更を加えることができる。例えば、スイッチ３０は、定置式のダイヤコアドリルに限らず、ブラシレスモータを備えた様々な電動工具に適用することができる。電動工具１におけるスイッチ３０の配置や姿勢は適宜変更してよい。オンボタン３３がオフボタンとしても機能する構成としてもよい。例えば、１回オンボタン３３を押し操作するとスイッチ本体３１がオン状態になって保持され、もう１回オンボタン３３を押し操作すると、スイッチ本体３１のオン状態の保持が解除されてスイッチ本体３１がオフ状態になる構成としてもよい。
【００８２】
オン保持部材３５を付勢するばねは、圧縮ばね３７に限らず、例えば引張ばねでもよく、例えばゴム等の弾性部材であってもよい。オン保持部材３５は、金属材料に限らず、例えば剛性の高い樹脂で設けてもよい。オフボタン３４の操作性を高めるために、オフボタン３４を上方に付勢する圧縮ばね３８を備える構成を例示したが、例えば圧縮ばね３８を設けない構成としてもよい。その場合でも、オフボタン３４の押し操作によってオンボタン３３の押し状態を解除することができ、かつ圧縮ばね３７がオン保持部材３５を左方へ付勢する間接作用により、オフボタン３４は上方へ戻される。オンボタン３３の周囲を囲むリブ３６ｂを例示したが、例えばオンボタン３３の左右位置にのみリブを設ける構成としてもよく、例えばオンボタン３３の周囲のうち３方向にリブを設ける構成としてもよい。
【符号の説明】
【００８３】
１…電動工具（ダイヤコアドリル）
２…ベース、２ａ…ボルト孔、２ｂ…レベル調整ねじ孔
３…支柱、３ａ…ラックギヤ
４…上下可動部
５…可動支持部、５ａ…支柱貫通孔、５ｂ…ピニオン回転軸、５ｃ…ピニオンギヤ
６…モータ支持部
７…ハンドル、７ａ…軸部、７ｂ…アーム部
８…駆動部
９…駆動部ケース、９ａ…底部、９ｂ…縦部、９ｃ…天板部
９ｄ…吸気口、９ｅ…排気口
１０…モータ（ブラシレスモータ）
１２…コントローラ
１３…出力軸
１５…回転刃具、１５ａ…切削部
１６…冷却ファン
１７…操作部、１７ａ…負荷状態表示部、１７ｂ…バッテリ残容量表示部
２０…バッテリ取付部
２５…バッテリ、２５ａ…取付面、２５ｂ…ロック解除ボタン
３０…スイッチ
３１…スイッチ本体
３１ａ…プランジャ、３１ｂ…電源端子、３１ｃ…信号端子、３１ｄ…スイッチケース
３２…下ケース
３２ａ…スイッチ本体収容部、３２ｂ…オンボタン保持部、３２ｃ…凸形レール部
３２ｄ…オフボタン保持部、３２ｅ…凸形レール部、３２ｆ…オン保持部材スライド面
３２ｇ…ばね受け部、３２ｈ…ばね収容部、３２ｉ…開口部、３２ｊ…爪部
３２ｋ…傾斜面
３３…オンボタン（オン操作部）
３３ａ…押し操作部、３３ｂ…脚部、３３ｃ…凹形レール部
３３ｄ…切欠き部、３３ｅ…第１面、３３ｆ…第２面、３３ｇ…傾斜面
３４…オフボタン（オフ操作部）、３４ａ…押し操作部、３４ｂ…脚部
３４ｃ…凹形レール部、３４ｄ…傾斜面、３４ｅ…ばね受け部
３５…オン保持部材、３５ａ…第１面、３５ｂ…第２面、３５ｃ…張出部
３５ｄ…オフボタン受け部、３５ｅ…ばね保持部、３５ｆ…中間張出部、３５ｇ…枠部
３６…上ケース、３６ａ…オンボタン孔、３６ｂ…リブ、３６ｃ…オフボタン孔
３６ｄ…引掛け部、３６ｅ…引掛け孔
３７，３８…圧縮ばね
４０…スイッチ
４１…スイッチ本体、４１ａ…レバー、４１ｂ…電源端子、４１ｃ…挿通孔
４２…ケース、４２ａ…本体収容部、４２ｂ…支持部、４２ｃ…支持孔
４２ｄ…マイクロスイッチ保持部、４２ｅ…台座部、４２ｆ…傾斜面
４３…押し操作部、４３ａ…オン操作部、４３ｂ…オフ操作部、４３ｃ…揺動支軸
４３ｄ…マイクロスイッチ操作部、４３ｅ…保持凹部
４４…マイクロスイッチ、４４ａ…延出部、４４ｂ…支持部、４４ｃ…湾曲部
４４ｄ…プランジャ、４４ｅ…接続端子、４４ｆ…挿入孔
Ｆ…設置面
Ｗ…被加工材
【図１】
2020093337.tif 000003
【図２】
2020093337.tif 000004
【図３】
2020093337.tif 000005
【図４】
2020093337.tif 000006
【図５】
2020093337.tif 000007
【図６】
2020093337.tif 000008
【図７】
2020093337.tif 000009
【図８】
2020093337.tif 000010
【図９】
2020093337.tif 000011
【図１０】
2020093337.tif 000012
【図１１】
2020093337.tif 000013
【図１２】
2020093337.tif 000014
【図１３】
2020093337.tif 000015
【図１４】
2020093337.tif 000016
【図１５】
2020093337.tif 000017
【図１６】
2020093337.tif 000018
【図１７】
2020093337.tif 000019
【図１８】
2020093337.tif 000020
【図１９】
2020093337.tif 000021
【図２０】
2020093337.tif 000022
【図２１】
2020093337.tif 000023
【図２２】
2020093337.tif 000024
【図２３】
2020093337.tif 000025
【図２４】
2020093337.tif 000026
【図２５】
2020093337.tif 000027
【図２６】
2020093337.tif 000028
【図２７】
2020093337.tif 000029
【図２８】
2020093337.tif 000030
【図２９】
2020093337.tif 000031